(57)【要約】      （修正有）【課題】シールド効果が良好で周知の電気信号伝送不安定の現象を改善し、且つ有効に全体高度を減らしたコネクタの提供。【解決手段】絶縁本体２、シールド体４、及び導電端子３を包含し、該シールド体に挿入板４６が設けられ、それは絶縁本体内にあって導電端子の下方に取り付けられ導電端子に対してシールドを形成し、導電端子相互の間に発生するクロストークを有効に減らし、また、シールド体の両側に取り付けアームが設けられて干渉式に絶縁本体に取り付けられ、且つ取り付けアームに係止孔が設けられて対応接続されるコネクタとの係合に供される。【選択図】図１
0003115351.tif 000002
【実用新案登録請求の範囲】
【請求項１】
コネクタにおいて、
長軸と短軸を具えた扁平長形体を呈し、長い軸に背向する接続面、接合面、及び該接続面と接合面の間の上面、底面及び両側面、及び接合面に対応する取り付け壁を具え、その接続面に近隣の一側に挿入空間が形成され、接続面に接続溝が設けられ、接続溝の内壁に接合面を貫通する複数の収容孔が設けられ、収容孔の下方に挿入孔が設けられ、また取り付け壁に取り付け孔が設けられた、絶縁本体と、
これら収容孔に収容され、接触部、干渉部及びソルダー部を具えた、導電端子と、
シールド体であって、上面、底面及び両側面、及び絶縁本体の取り付け孔に対応する取り付けアームを具え、この底面が絶縁本体内に取り付けられ、その前端に挿入板が設けられ、該挿入板が挿入孔内に取り付けられ、該取り付けアームの前端が取り付け孔内に取り付けられ、後端に取り付け溝が設けられ、別にシールド体の上面、側面及び挿入空間が共同で対応接続されるコネクタと係合する係止溝を形成する、上記シールド体と、
を包含したことを特徴とする、コネクタ。
【請求項２】
請求項１記載のコネクタにおいて、位置決めノッチが絶縁本体の側面の近隣に設けられたことを特徴とする、コネクタ。
【請求項３】
請求項２記載のコネクタにおいて、位置決めノッチに対応するシールド体の底面に接地ピンが設けられ、該接地ピンが表面実装できるよう折り曲げられたソルダー部を具えたことを特徴とする、コネクタ。
【請求項４】
請求項３記載のコネクタにおいて、シールド体の取り付けアームはシールド体の上面より一体に延伸された後に折り曲げられて底面上方に至り、更に９０度折り曲げられて側面と対応し、その前端の面に凸粒が設けられたことを特徴とする、コネクタ。
【請求項５】
請求項４記載のコネクタにおいて、取り付け孔が直立した長形孔とされて、取り付けアームの前端の凸粒と干渉式に組み合わされることを特徴とする、コネクタ。
【請求項６】
請求項５記載のコネクタにおいて、複数の挿入孔が等距離に配列されたことを特徴とする、コネクタ。
【請求項７】
請求項６記載のコネクタにおいて、挿入板の数量が挿入孔に対応し、且つ各挿入板の前方両側にフックが設けられたことを特徴とする、コネクタ。
【請求項８】
請求項１記載のコネクタにおいて、弾性を有する複数の上板が、シールド体の底面上に設けられたことを特徴とする、コネクタ。
【請求項９】
請求項１記載のコネクタにおいて、ソルダーピンを更に具え、該ソルダーピンがシールド体の両側面より延伸され並びに９０度折り曲げられたことを特徴とする、コネクタ。
【請求項１０】
請求項１記載のコネクタにおいて、導電端子のソルダー部が折り曲げられて表面実装に有利とされたことを特徴とする、コネクタ。
【考案の詳細な説明】
【技術分野】
【０００１】
本考案はコネクタ構造に係り、回路板に取り付けられてＬＣＤとの接続に供され、その部品が簡潔で、体積が薄く、シールド効果が良好であるコネクタに関する。
【背景技術】
【０００２】
マザーボードに取り付けられてＬＣＤとの接続に用いられるコネクタは、薄型化された絶縁本体内に取り付けられ、それ自身の体積は大きくなく、導電端子の数量は多く、伝送するデータ量は膨大であり、このため、これら導電端子は緊密な方式で小体積内に配置されなければならない。しかし、緊密に配列された導電端子は電気信号伝送過程中に、相互の間にクロストークを発生して直接に信号伝送の安定性と品質に影響を与え得るため、改善が求められている。
【０００３】
さらに、外界雑音の干渉を防止するため、このようなコネクタには一般に金属シールド体が絶縁本体の外周面を被覆するように設置されている。しかし、絶縁本体の高さは射出成形の要求の制限を受けるために往々にして減らすことができず、更に金属シールド体は絶縁本体外周面を被覆するため、コネクタ全体の高さを軽薄短小の設計傾向に適合させることができない。
【考案の開示】
【考案が解決しようとする課題】
【０００４】
本考案の目的は、一種の、シールド効果が良好で、構造が簡易であり、周知の技術の信号伝送不安定現象を改善でき、且つ有効に全体高さを下げることができる薄型コネクタを提供することにある。
【０００５】
上述の目的を達成するため、本考案のコネクタの主要な特徴は以下のとおりである。即ち、コネクタのシールド体の両側に取り付けアームが設けられて、干渉式に絶縁本体に取り付けられ、且つ該取り付けアームに係止孔が設けられて対応接続されるコネクタとの係合に用いられる。
【０００６】
以上の特徴により、そのうち絶縁本体には取り付けアームに対応して取り付け溝が設けられ、且つ取り付け溝に近接して挿入空間が設けられ、シールド体と共同で対応接続されるコネクタと係合する係止溝が形成されている。
【０００７】
また、本考案のコネクタのもう一つの特徴は、シールド体に挿入板が設けられ、該挿入板が絶縁本体内にあって、導電端子の下方に取り付けられ、これにより導電端子に対するシールドを形成して導電端子相互間のクロストークを減らすことにある。
【課題を解決するための手段】
【０００８】
請求項１の考案は、コネクタにおいて、
長軸と短軸を具えた扁平長形体を呈し、長い軸に背向する接続面、接合面、及び該接続面と接合面の間の上面、底面及び両側面、及び接合面に対応する取り付け壁を具え、その接続面に近隣の一側に挿入空間が形成され、接続面に接続溝が設けられ、接続溝の内壁に接合面を貫通する複数の収容孔が設けられ、収容孔の下方に挿入孔が設けられ、また取り付け壁に取り付け孔が設けられた、絶縁本体と、
これら収容孔に収容され、接触部、干渉部及びソルダー部を具えた、導電端子と、
シールド体であって、上面、底面及び両側面、及び絶縁本体の取り付け孔に対応する取り付けアームを具え、この底面が絶縁本体内に取り付けられ、その前端に挿入板が設けられ、該挿入板が挿入孔内に取り付けられ、該取り付けアームの前端が取り付け孔内に取り付けられ、後端に取り付け溝が設けられ、別にシールド体の上面、側面及び挿入空間が共同で対応接続されるコネクタと係合する係止溝を形成する、上記シールド体と、
を包含したことを特徴とする、コネクタとしている。
請求項２の考案は、請求項１記載のコネクタにおいて、位置決めノッチが絶縁本体の側面の近隣に設けられたことを特徴とする、コネクタとしている。
請求項３の考案は、請求項２記載のコネクタにおいて、位置決めノッチに対応するシールド体の底面に接地ピンが設けられ、該接地ピンが表面実装できるよう折り曲げられたソルダー部を具えたことを特徴とする、コネクタとしている。
請求項４の考案は、請求項３記載のコネクタにおいて、シールド体の取り付けアームはシールド体の上面より一体に延伸された後に折り曲げられて底面上方に至り、更に９０度折り曲げられて側面と対応し、その前端の面に凸粒が設けられたことを特徴とする、コネクタとしている。
請求項５の考案は、請求項４記載のコネクタにおいて、取り付け孔が直立した長形孔とされて、取り付けアームの前端の凸粒と干渉式に組み合わされることを特徴とする、コネクタとしている。
請求項６の考案は、請求項５記載のコネクタにおいて、複数の挿入孔が等距離に配列されたことを特徴とする、コネクタとしている。
請求項７の考案は、請求項６記載のコネクタにおいて、挿入板の数量が挿入孔に対応し、且つ各挿入板の前方両側にフックが設けられたことを特徴とする、コネクタとしている。
請求項８の考案は、請求項１記載のコネクタにおいて、弾性を有する複数の上板が、シールド体の底面上に設けられたことを特徴とする、コネクタとしている。
請求項９の考案は、請求項１記載のコネクタにおいて、ソルダーピンを更に具え、該ソルダーピンがシールド体の両側面より延伸され並びに９０度折り曲げられたことを特徴とする、コネクタとしている。
請求項１０の考案は、請求項１記載のコネクタにおいて、導電端子のソルダー部が折り曲げられて表面実装に有利とされたことを特徴とする、コネクタとしている。
【考案の効果】
【０００９】
本考案は、シールド効果が良好で周知の電気信号伝送不安定の現象を改善し、且つ有効に全体高度を減らしたコネクタを提供している。
【考案を実施するための最良の形態】
【００１０】
図１、２に示されるように、本考案のコネクタ１は、絶縁本体２、導電端子３、シールド体４を包含する。そのうち、絶縁本体２は、長軸と短軸の扁平長方形体とされ、長軸側に相互に背向する接続面２０、接合面２１、及び該接続面２０と接合面２１の間に隣接する上面２２、底面２３及び両側面２４、２５、及び接合面２１に対応する取り付け壁２６を包含し、その接続面に近接する一側に挿入空間２７が形成されている。
そのうち、接続面２０に接続溝２０１が設けられて対応接続されるコネクタ（図示せず）の挿入に供され、接続溝２０１の内壁に、接合面２１を貫通する複数の収容孔２０２が設けられて導電端子３を収容する。別に収容孔２０２の下方に複数の、等距離配列された挿入孔２０３が設けられ、別に、該取り付け壁２６に取り付け孔２６０が設けられ、該取り付け孔２６０は直立する長形孔とされる。また、絶縁本体２の側面２４、２５に近接して位置決めノッチ２８が設けられている。該導電端子３は、これら収容孔２０２に収容され、接触部３０、干渉部３１及びソルダー部３２を具え、そのうちソルダー部３２は折り曲げられて表面実装に有利とされる。
【００１１】
該シールド体４については図５も併せて参照されたい。該シールド体４は、上面４０、底面４１及び両側面４２、４３、及び絶縁本体２の取り付け孔２６０に対応する取り付けアーム４４、及び接地ピン４５を具えている。そのうち、上面４０と両側面４２、４３はそれぞれ絶縁本体２の上面２２及び両側面２４、２５をシールドし、該上面４０、両側面４２、４３と挿入空間２７は共同で、対応接続されるコネクタとの係合に供される係止溝を形成する。該底面４１は絶縁本体２内に取り付けられ、その前端に挿入孔２０３に対応して複数の挿入板４６が設けられ、各挿入板４６の前方両側にフック４６１が設けられて干渉式に該挿入孔２０３内に取り付けられる。該取り付けアーム４４は図２も参照されたいが、シールド体４の上面４０より一体に延伸された後に折り曲げられて底面４１の上方に至り、更に９０度折り曲げられて側面４２、４３に対応し、それは前端４４１と後端４４２を具え、前端４４１の面に凸粒４４３が設けられて取り付け孔内に取り付けられ、後端４４２には取り付け溝４４４が設けられて、対応接続されるコネクタ（図示せず）との係合に供される。別に、接地ピン４５は位置決めノッチ２８に対応し、シールド体４の底面４１より延伸されたソルダー部４５１を具え、該ソルダー部４５１は折り曲げられて表面実装に有利とされる。更に、シールド体４の両側面４２、４３が延伸され９０度折り曲げられてソルダーピン４７が設けられ、表面実装に供される。また、該シールド体４の底面４１に三つの弾性を具えた上板４８（図２）が設けられ、対応し接続されるコネクタとの挿嵌が更に強固となる。
【００１２】
図１、２及び図５から図７を参照されたい。本考案のコネクタ１を組み立てる時は、順にこれら導電端子３を絶縁本体２の収容孔２０２に取り付け、更にシールド体４を接続溝２０１より絶縁本体２内に取り付け、並びに取り付けアーム４４をその前端４４１の凸粒４４３により干渉式に取り付け孔２６０に取り付ける（図６）。また、これら挿入板４６を接続溝２０１内の挿入孔２０３に嵌合し（図７）、並びに接地ピン４５を該位置決めノッチ２８に位置させる。こうして本考案のコネクタ１の組立が完成し、組立完成後に明らかに本考案のコネクタの全体高さはシールド体４の底面４１が絶縁本体２内部に取り付けられているために有効に減らされ、且つこれら挿入板４６が導電端子３の接触部３０の下方をシールドするため、これら導電端子３が全面式にシールドされ、その相互間のクロストークが減らされ、コネクタの静電容量が増加し、インピーダンスマッチが達成され、信号伝送の安定化の効果が提供される。また、本考案は取り付けアーム４４の取り付け溝４４４の接地により、対応し接続されるコネクタのロックを提供でき、接続後の脱落を防止できる。
【００１３】
総合すると本考案のコネクタの構造は確実に考案の目的を達成し、実用新案登録の要件を具備している。
【図面の簡単な説明】
【００１４】
【図１】本考案のコネクタの立体分解図である。
【図２】本考案のコネクタの異なる角度の立体分解図である。
【図３】図１の立体組合せ図である。
【図４】図２の立体組合せ図である。
【図５】図４の正面図である。
【図６】図５の６−６断面図である。
【図７】図５の７−７断面図である。
【符号の説明】
【００１５】
１  コネクタ                ２  絶縁本体
３  導電端子                ４  シールド体
２０  接続面                ２１  接合面
２２  上面                  ２３  底面
２４、２５  側面            ２６  取り付け壁
２７  取り付け空間          ２８  位置決めノッチ
２０１  接続溝              ２０２  収容孔
２０３  挿入孔              ２６０  取り付け孔
３０  接触部                ３１  干渉部
３２  ソルダー部            ４０  上面
４１  底面                  ４２、４３  側面
４４  取り付けアーム        ４５  接地ピン
４６  挿入板                ４７  ソルダーピン
４８  上板                  ４４１  前端
４４２  後端                ４４３  凸粒
４４４  取り付け溝          ４５１  ソルダー部
４６１  フック
【図１】
0003115351.tif 000003
【図２】
0003115351.tif 000004
【図３】
0003115351.tif 000005
【図４】
0003115351.tif 000006
【図５】
0003115351.tif 000007
【図６】
0003115351.tif 000008
【図７】
0003115351.tif 000009